(57)【要約】【課題】無線端末のユーザへの情報の通知を適切に行うこと。【解決手段】実施形態に係る無線端末は、表示部と、無線ＬＡＮ通信部と、無線ＷＡＮ通信部と、無線ＬＡＮ通信部により検出される無線信号の電波強度が所定条件を満たす無線ＬＡＮアクセスポイントを検出した場合に、この無線ＬＡＮアクセスポイントに対応する通知用情報を無線ＷＡＮ通信部または無線ＬＡＮ通信部で取得して表示出力部に表示出力する制御部と、を有する。【選択図】図１Ｂ
2014146854.tif 000002
【特許請求の範囲】
【請求項１】
表示出力部と、
無線ＬＡＮ通信部と、
無線ＷＡＮ通信部と、
前記無線ＬＡＮ通信部により検出される無線信号の電波強度が所定条件を満たす無線ＬＡＮアクセスポイントを検出した場合に、当該無線ＬＡＮアクセスポイントに対応する通知用情報を前記無線ＬＡＮ通信部または前記無線ＷＡＮ通信部で取得して前記表示出力部に表示出力する制御部と、を有する
ことを特徴とする無線端末。
【請求項２】
前記無線ＬＡＮ通信部により検出される無線信号の電波強度の履歴を記憶する記憶部を有し、
前記制御部は、
前記記憶部に記憶された前記電波強度の履歴に基づき、前記所定条件を満たす無線ＬＡＮアクセスポイントを検出する
ことを特徴とする請求項１に記載の無線端末。
【請求項３】
前記制御部は、
前記所定条件を満たす無線ＬＡＮアクセスポイントの情報を前記無線ＬＡＮ通信部または前記無線ＷＡＮ通信部経由で情報提供装置へ通知し、当該情報提供装置から前記所定条件を満たす無線ＬＡＮアクセスポイントに対応する通知用情報を前記無線ＬＡＮ通信部または前記無線ＷＡＮ通信部経由で取得する
ことを特徴とする請求項１または２に記載の無線端末。
【請求項４】
前記制御部は、
情報提供装置から前記無線ＬＡＮ通信部または前記無線ＷＡＮ通信部経由で取得した無線ＬＡＮアクセスポイントに対応する通知用情報のうち、前記所定条件を満たす無線ＬＡＮアクセスポイントに対応する通知用情報を前記表示出力部に表示出力する
ことを特徴とする請求項１または２に記載の無線端末。
【請求項５】
前記所定条件は、
前記無線ＬＡＮ通信部により検出される無線信号の電波強度に基づいて決定される順位の上位所定数以内であることを条件とし、
前記制御部は、
前記無線ＬＡＮ通信部により検出される無線信号の電波強度に基づいて決定される順位の上位所定数以内となる無線ＬＡＮアクセスポイントに対応する通知用情報を前記無線ＬＡＮ通信部または前記無線ＷＡＮ通信部経由で取得して前記表示出力部に表示出力する
ことを特徴とする請求項１〜４のいずれか１つに記載の無線端末。
【請求項６】
前記制御部は、
前記上位所定数のうち最上位所定数以内となる無線ＬＡＮアクセスポイントに対応する通知用情報を前記無線ＬＡＮ通信部経由で取得して前記表示出力部に表示出力する
ことを特徴とする請求項５に記載の無線端末。
【請求項７】
前記制御部は、
前記上位所定数のうち最上位所定数以外となる無線ＬＡＮアクセスポイントに対応する通知用情報を前記無線ＷＡＮ通信部経由で取得して前記表示出力部に表示出力する
ことを特徴とする請求項５に記載の無線端末。
【請求項８】
表示出力部、無線ＬＡＮ通信部および無線ＷＡＮ通信部を有するコンピュータを、
前記無線ＬＡＮ通信部により無線ＬＡＮアクセスポイントから出力される無線信号の電波強度を検出する検出手段、
前記検出手段により検出される無線信号の電波強度が所定条件を満たす無線ＬＡＮアクセスポイントを検出した場合に、当該無線ＬＡＮアクセスポイントに対応する通知用情報を前記無線ＬＡＮ通信部または前記無線ＷＡＮ通信部で取得する取得手段、
前記取得手段によって取得された通知用情報を表示出力部に表示出力する表示出力処理手段
として機能させることを特徴とする情報表示プログラム。
【請求項９】
無線端末が、無線ＬＡＮアクセスポイントから出力される無線信号の電波強度を検出する検出ステップと、
情報提供装置が、前記検出ステップにより検出される無線信号の電波強度が所定条件を満たす無線ＬＡＮアクセスポイントに対応する通知用情報を前記無線端末へ送信する送信ステップと、
前記無線端末が、前記情報提供装置から送信される前記通知用情報を取得する取得ステップと、
前記無線端末が、前記取得ステップによって取得された前記通知用情報を表示出力部に表示出力する表示出力部処理ステップと、
を含むことを特徴とする情報提供方法。
【請求項１０】
無線端末と、複数の無線ＬＡＮアクセスポイントと、情報提供装置とを有し、
前記無線端末は、
表示出力部と、
無線ＬＡＮ通信部と、
無線ＷＡＮ通信部と、
前記無線ＬＡＮ通信部により検出される無線信号の電波強度が所定条件を満たす無線ＬＡＮアクセスポイントの情報を通知取得対象の無線ＬＡＮアクセスポイントの情報として前記情報提供装置へ送信し、前記通知取得対象の無線ＬＡＮアクセスポイントに対応する通知用情報を前記情報提供装置から前記無線ＷＡＮ通信部または前記無線ＬＡＮ通信部で取得して前記表示出力部に表示出力する制御部と、を有し、
前記情報提供装置は、
前記複数の無線ＬＡＮアクセスポイントのそれぞれに対応する通知用情報を記憶する通知用情報記憶部と、
前記通知取得対象の無線ＬＡＮアクセスポイントを取得し、前記通知用情報記憶部に記憶された通知用情報のうち、前記通知取得対象の無線ＬＡＮアクセスポイントに対応する通知用情報を、無線ＬＡＮアクセスポイント経由または無線ＷＡＮ基地局経由で前記無線端末に対して送信する制御部と、
を有することを特徴とする情報提供システム。
【請求項１１】
前記無線端末は、
キーワードを入力するための入力部を有し、
前記無線端末の前記制御部は、
前記入力部によって設定された前記キーワードの情報を前記情報提供装置へ送信し、
前記情報提供装置の制御部は、
前記無線端末から前記キーワードの情報を取得し、前記通知取得対象の無線ＬＡＮアクセスポイントに対応する通知用情報のうち、前記キーワードに対応する通知用情報を前記無線端末へ送信し、
前記無線端末の前記制御部は、
前記情報提供装置から送信される前記通知用情報を前記無線ＷＡＮ通信部または前記無線ＬＡＮ通信部で取得して前記表示出力部に表示出力する
ことを特徴とする請求項１０に記載の情報提供システム。
【発明の詳細な説明】
【技術分野】
【０００１】
本発明は、無線端末、情報表示プログラム、情報提供方法および情報提供システムに関する。
【背景技術】
【０００２】
近年、無線ＬＡＮ（Local  Area  Network）通信が急速に普及している。駅、空港、店舗等の様々な場所には無線ＬＡＮアクセスポイントが設置され、また、パーソナルコンピュータ、携帯電話機、ポータブルゲーム機等の様々なモバイル機器には無線ＬＡＮ通信機能が標準搭載されるようになってきた。かかる無線ＬＡＮ通信はさらに普及することが予測され、無線端末であるモバイル機器のユーザは、さらに様々な場所で高速なインターネットへ接続環境を利用することが可能となると予測される。
【０００３】
このような通信環境において、例えば、特許文献１には、アクセスポイント内に存在する無線端末が検出された場合に、情報配信制御装置からアクセスポイントに対応する情報をメールにより無線端末へ通知する技術が記載されている。
【先行技術文献】
【特許文献】
【０００４】
【特許文献１】特開２００５−１０７８９７号公報
【発明の概要】
【発明が解決しようとする課題】
【０００５】
しかしながら、上記従来技術では、アクセスポイントに対応する情報をメールによって送信するため、情報の提供を迅速に行うことができない場合がある。そこで、情報配信制御装置からアクセスポイント経由で無線端末へ情報を送信することが考えられる。
【０００６】
しかしながら、無線端末のユーザが多数のアクセスポイントの通信エリアを移動するような場合、多数のアクセスポイントに対応する情報が無線端末に表示されることになり、スパムメールと同様に、無線端末のユーザに不快感を与えるおそれがある。
【０００７】
本願は、上記に鑑みてなされたものであって、無線端末のユーザへの情報の通知を適切に行うことができる無線端末、情報表示プログラム、情報提供方法および情報提供システムを提供することを目的とする。
【課題を解決するための手段】
【０００８】
本願に係る無線端末は、表示出力部と、無線ＬＡＮ通信部と、無線ＷＡＮ通信部と、前記無線ＬＡＮ通信部により検出される無線信号の電波強度が所定条件を満たす無線ＬＡＮアクセスポイントを検出した場合に、当該無線ＬＡＮアクセスポイントに対応する通知用情報を前記無線ＷＡＮ通信部または前記無線ＬＡＮ通信部で取得して前記表示出力部に表示出力する制御部と、を有する。
【発明の効果】
【０００９】
本願に係る無線端末、情報表示プログラム、情報提供方法および情報提供システムは、無線端末のユーザへの情報の通知を適切に行うことができるという効果を奏する。
【図面の簡単な説明】
【００１０】
【図１Ａ】図１Ａは、第１の実施形態に係る情報提供システムの構成を示す図である。
【図１Ｂ】図１Ｂは、図１Ａに示す情報提供システムによる情報提供方法の説明図である。
【図２】図２は、第１の実施形態に係る情報提供システムの具体的構成例を示す図である。
【図３】図３は、図２に示す無線端末の具体的構成例を示す図である。
【図４】図４は、無線端末の記憶部に記憶されるＡＰ検出情報の構成を示す図である。
【図５】図５は、無線端末の記憶部に記憶されるＡＰ情報テーブルの一例を示す図である。
【図６】図６は、無線端末の記憶部に記憶される通知ＡＰ情報テーブルの一例を示す図である。
【図７】図７は、情報提供装置から提供される情報を無線端末の表示出力部で表示した画面例を示す図である。
【図８Ａ】図８Ａは、無線ＬＡＮアクセスポイントと無線端末との間のセッション確立のシーケンスを示す図（その１）である。
【図８Ｂ】図８Ｂは、無線ＬＡＮアクセスポイントと無線端末との間のセッション確立のシーケンスを示す図（その２）である。
【図９】図９は、場所情報ＤＢに記憶される端末情報テーブルの一例を示す図である。
【図１０】図１０は、ユーザ情報ＤＢに記憶されるユーザ情報テーブルの一例を示す図である。
【図１１】図１１は、場所情報ＤＢに記憶される場所情報テーブルの一例を示す図である。
【図１２】図１２は、無線端末における情報処理のフローチャートである。
【図１３】図１３は、無線ＬＡＮアクセスポイントにおける情報処理のフローチャートである。
【図１４】図１４は、情報提供装置における情報処理のフローチャートである。
【図１５】図１５は、図１４に示す通知処理のフローチャートである。
【図１６】図１６は、第２の実施形態に係る情報提供システムの具体的構成例を示す図である。
【図１７】図１７は、第２の実施形態に係るユーザ情報ＤＢに記憶されるユーザ情報テーブルの一例を示す図である。
【図１８】図１８は、第２の実施形態に係る通知処理のフローチャートである。
【図１９】図１９は、第３の実施形態に係る情報提供システムの具体的構成例を示す図である。
【図２０】図２０は、第３の実施形態に係る無線端末における情報処理のフローチャートである。
【図２１】図２１は、第３の実施形態に係る通知処理のフローチャートである。
【発明を実施するための形態】
【００１１】
以下に、本願に係る無線端末、情報表示プログラム、情報提供方法および情報提供システムの実施形態について図面を参照しつつ詳細に説明する。なお、この実施形態により本願に係る無線端末、情報表示プログラム、情報提供方法および情報提供システムが限定されるものではない。
【００１２】
〔１．第１の実施形態〕
〔１．１．情報提供システム〕
まず、第１の実施形態に係る情報提供システムの構成について説明する。図１Ａは、実施形態に係る情報提供システムの構成を示す図である。
【００１３】
図１Ａに示すように、第１の実施形態に係る情報提供システムは、複数の無線ＬＡＮ（Local  Area  Network）アクセスポイントと、情報提供装置とを備える。無線ＬＡＮアクセスポイントおよび情報提供装置は、通信ネットワークを介して接続される。通信ネットワークは、例えば、インターネットなどのＩＰ（Internet  Protocol）ネットワークである。
【００１４】
通信ネットワークには、図示しないゲートウェイサーバを介してＷＡＮ（Wide  Area  Network）である携帯電話通信網が接続されており、携帯電話通信網には携帯電話基地局（無線ＷＡＮ基地局の一例）が接続される。
【００１５】
無線ＬＡＮアクセスポイントは、無線ＬＡＮ通信部を備えており、かかる無線ＬＡＮ通信部によって、無線端末と相互に無線通信可能である。無線ＬＡＮアクセスポイントは、例えば、小売店、飲食店、美容院・理容院、病院、ホテル、映画館、複合レジャー施設などの他、駅、商店街、コンサートやスポーツなどが行われるイベント会場などの商業空間を無線ＬＡＮ通信エリア（以下、ＡＰ通信エリアと記載する）とする。
【００１６】
また、無線ＬＡＮアクセスポイントは、通信ネットワークと接続する通信部を備えており、無線端末と、通信ネットワーク側との間の送受信データを中継する中継機能を有する。通信ネットワーク側装置は、例えば、通信ネットワークに接続された情報提供装置やサーバ（例えば、ウェブサイト）である。
【００１７】
情報提供装置は、無線ＬＡＮアクセスポイントに対応するＬＡＮ通知用情報およびＷＡＮ通知用情報を記憶するデータベース（以下、ＤＢと記載する）を備える。ＬＡＮ通知用情報は、無線ＬＡＮアクセスポイントから通知する情報であり、ＷＡＮ通知用情報は携帯電話基地局から通知する情報である。
【００１８】
情報提供装置は、無線ＬＡＮアクセスポイントのＡＰ通信エリア内に進入した無線端末に対し、無線端末が存在する無線ＬＡＮアクセスポイントに対応するＬＡＮ通知用情報およびＷＡＮ通知用情報の一方をＤＢから取得して、無線端末へ送信する。
【００１９】
無線端末は、携帯電話基地局を経由して通信ネットワーク側装置との間でデータの送受信が可能である。また、無線端末は、無線ＬＡＮ通信機能を搭載した携帯電話機であり、無線ＬＡＮアクセスポイントのＡＰ通信エリア内では、無線ＬＡＮアクセスポイント経由でも通信ネットワーク側装置との間でデータの送受信が可能である。
【００２０】
無線端末は、無線ＬＡＮアクセスポイントから送信される無線信号の電波強度を検出し、無線信号の電波強度が所定条件を満たす無線ＬＡＮアクセスポイントを通知用情報の取得対象（以下、通知取得対象と記載する）として判定する。例えば、無線端末は、無線信号の電波強度に基づいて決定される順位の上位所定数以内である無線ＬＡＮアクセスポイントを通知取得対象として判定する。
【００２１】
無線端末は、通知取得対象とした無線ＬＡＮアクセスポイントのＡＰ通信エリアに進入した場合、情報提供装置から無線ＬＡＮアクセスポイントまたは携帯電話基地局経由で通知用情報を取得して表示出力する。
【００２２】
〔１．２．情報提供方法〕
次に、第１の実施形態に係る情報提供システムによる情報提供方法の一例について説明する。図１Ｂは、第１の実施形態に係る情報提供方法の説明図である。
【００２３】
無線端末のユーザ（以下、端末ユーザと記載する場合がある）が複数のＡＰ通信エリアを通過した場合、図１Ｂに示すように、無線端末の制御部は、複数の無線ＬＡＮアクセスポイント（図１Ａに示す複数のＡＰ）から無線信号を受信し（ステップＳ１、Ｓ３、Ｓ５）、これらの無線信号の電波強度を検出する（ステップＳ２、Ｓ４、Ｓ６）。無線端末の制御部は、検出した電波強度の情報を記憶部に記憶する。なお、ここでは、一例として、２０台の無線ＬＡＮアクセスポイントからそれぞれ受信した無線信号の電波強度を検出するものとする。
【００２４】
その後、無線端末の制御部は、通知取得対象とする無線ＬＡＮアクセスポイントを決定する（ステップＳ７）。かかる処理において、無線端末の制御部は、記憶部に記憶した各無線ＬＡＮアクセスポイントの電波強度の情報に基づいて決定される順位が上位所定数Ｋ１以内である無線ＬＡＮアクセスポイントを通知取得対象として判定する。
【００２５】
通知用情報は、上述したようにＬＡＮ通知用情報とＷＡＮ通知用情報があり、無線端末の制御部は、無線信号の電波強度に基づいて決定される順位が最上位所定数Ｋ２（例えば、３位）以内である無線ＬＡＮアクセスポイントをＬＡＮ通知用情報の通知取得対象として決定する。また、無線信号の電波強度に基づいて決定される順位が上位所定数Ｋ１（例えば、５位）以上かつ最上位所定数Ｋ２未満である無線ＬＡＮアクセスポイントをＷＡＮ通知用情報の通知取得対象として決定する。
【００２６】
無線端末の制御部は、情報提供装置に対して通知取得対象の情報を送信し（ステップＳ８）、情報提供装置の制御部は、無線端末から取得した通知取得対象の情報をＤＢに記憶する（ステップＳ９）。通知取得対象の情報には、無線端末の端末ＩＤ、無線ＬＡＮアクセスポイントの識別情報および通知用情報の種類を含む。
【００２７】
その後、無線端末の制御部は、通知取得対象として判定した無線ＬＡＮアクセスポイントのＡＰ通信エリア内に進入した場合に、この無線ＬＡＮアクセスポイントに無線信号を出力する（ステップＳ１０）。かかる無線信号は、無線端末の端末ＩＤを含んでおり、無線ＬＡＮアクセスポイントは、無線信号を無線端末から取得すると、取得した情報を含む端末情報を情報提供装置へ送信する（ステップＳ１１）。
【００２８】
情報提供装置は、記憶部に記憶している通知取得対象の情報に基づき、端末情報を送信した無線ＬＡＮアクセスポイントが通知取得対象の無線ＬＡＮアクセスポイントと判定した場合、かかる無線ＬＡＮアクセスポイントに進入した無線端末へ送信する通信媒体を決定する（ステップＳ１２）。
【００２９】
ステップＳ１２の処理において、情報提供装置は、通知取得対象の情報で無線ＬＡＮアクセスポイントが指定される場合、ＬＡＮ通知用情報を無線ＬＡＮアクセスポイントへ送信し（ステップＳ１３ａ）、無線ＬＡＮアクセスポイントから通知用情報を無線端末へ通知させる（ステップＳ１４ａ）。一方、情報提供装置は、通知取得対象の情報で携帯電話基地局が指定される場合、通信ネットワークから通知用情報を無線端末宛に携帯電話通信網へ送信し（ステップＳ１３ｂ）、携帯電話基地局から通知用情報を無線端末へ通知させる（ステップＳ１４ｂ）。
【００３０】
無線端末は、無線ＬＡＮアクセスポイントまたは携帯電話基地局から通知用情報を受信すると、表示出力部に通知用情報を表示出力する（ステップＳ１５）。このように表示される通知用情報は、無線端末を検出した無線ＬＡＮアクセスポイントに対応する通知用情報である。例えば、無線ＬＡＮアクセスポイントの設置場所（以下、ＡＰ設置場所と記載する場合がある）である「Ａ店舗」に関連する情報が通知用情報として無線端末の表示出力部に表示出力される。なお、通知用情報が画像情報である場合には、この画像情報に基づいた画像が表示出力部により表示され、通知用情報が音声情報である場合には、この音声情報に基づいた音声が表示出力部から出力される。また、通知用情報が振動情報である場合には、この振動情報に基づいた振動が表示出力部から出力される。
【００３１】
また、無線端末は、通知用情報を取得すると、通知用情報の取得を表示出力部から通知してもよい。例えば、無線端末は、通知用情報を取得すると、音声の出力によって通知用情報の取得を通知してもよく、振動の出力によって通知用情報の取得を通知してもよく、音声・振動双方の出力によって通知してもよい。
【００３２】
このように、第１の実施形態に係る情報提供システムでは、無線端末が無線ＬＡＮアクセスポイントのＡＰ通信エリア内に入った場合に、この無線ＬＡＮアクセスポイントに対応する通知用情報が無線端末へ通知される。
【００３３】
そのため、例えば、無線ＬＡＮアクセスポイントを店舗に設置した場合、店舗に入った端末ユーザに対して店舗の情報を通知することができ、これにより、端末ユーザに対して店舗の情報を効果的に通知することが可能となる。また、無線端末ユーザにとっても、入店した店舗とは全く関係ない情報が無秩序に通知されることがなく、端末ユーザに対して不快感を与えない。
【００３４】
しかも、第１の実施形態に係る無線端末では、無線ＬＡＮアクセスポイントから受信した無線信号の電波強度が所定条件を満たす無線ＬＡＮアクセスポイントのＡＰ通信エリア内に進入した場合に、この無線ＬＡＮアクセスポイントに対応する通知用情報を取得して表示出力する。
【００３５】
そのため、端末ユーザは、進入した無線ＬＡＮアクセスポイントに対応する通知用情報が無制限に無線端末に表示される事態を回避することができ、これにより、端末ユーザへの情報の通知を適切に行うことができる。
【００３６】
以下、情報提供システムの具体的構成および具体的処理について図面を参照してさらに具体的に説明する。
【００３７】
〔１．３．情報提供システムの具体的構成〕
図２を用いて、第１の実施形態に係る情報提供システムの具体的構成例について説明する。図２は、第１の実施形態に係る情報提供システムの具体的構成例を示す図である。
【００３８】
図２に示すように、情報提供システム１は、複数の無線端末２1〜２nと、複数の無線ＬＡＮアクセスポイント３1〜３nと、情報提供装置４とを備え、情報提供装置４から選択した経路を介して無線端末２1〜２nに対して各種の情報を提供する。
【００３９】
無線端末２1〜２nは、スマートフォンなどのように、無線ＬＡＮ通信機能を備えた携帯電話機であり、各ユーザに所有される。なお、無線端末２1〜２nを区別する必要がない場合には、これらを総称して「無線端末２」と表記する。
【００４０】
複数の無線ＬＡＮアクセスポイント３1〜３nおよび情報提供装置４は、例えば、情報提供サービス業者によって管理される。なお、無線ＬＡＮアクセスポイント３1〜３nを区別する必要がない場合には、これらを総称して「無線ＬＡＮアクセスポイント３」と表記する。
【００４１】
無線ＬＡＮアクセスポイント３は、通信ネットワーク５を介して情報提供装置４に接続されており、情報提供装置４は、通信ネットワーク５を介して無線ＬＡＮアクセスポイント３から無線端末２へ各種の情報を提供することができる。本実施形態では、通信ネットワーク５をインターネットとして説明するが、通信ネットワーク５はインターネットに限定されるものではなく、例えば、情報提供サービス業者専用に設けられるネットワークであってもよい。
【００４２】
また、携帯電話通信網６は、ゲートウェイサーバ８、９を介して通信ネットワーク５に接続されており、情報提供装置４は、通信ネットワーク５を介して携帯電話通信網６に接続された携帯電話基地局７１〜７ｎから無線端末２に情報を送信させることもできる。なお、携帯電話基地局７１〜７ｎを区別する必要がない場合には、これらを総称して「携帯電話基地局７」と表記する。
【００４３】
ここでは、無線ＷＡＮ基地局が接続される通信網として携帯電話通信網６を一例に挙げて説明したが、無線ＷＡＮ基地局が接続される通信網は携帯電話通信網６に限られない。例えば、無線ＷＡＮ基地局が接続される通信網はデータ通信専用網であってもよい。この場合、無線ＷＡＮ基地局はデータ通信専用網の無線基地局であり、かかる無線基地局から無線端末２に情報が送信される。
【００４４】
以下、無線端末２、無線ＬＡＮアクセスポイント３、情報提供装置４の順にそれぞれの具体的構成を説明する。
【００４５】
〔１．４．無線端末２〕
図３は、無線端末２の具体的構成例を示す図である。図３に示すように、無線端末２は、無線ＬＡＮ通信部２０と、無線ＷＡＮ通信部２１と、表示部２２と、操作部２３と、記憶部２４と、制御部２５とを有する。
【００４６】
無線ＬＡＮ通信部２０は、無線ＬＡＮアクセスポイント３との間で情報の送受信を行う。かかる無線ＬＡＮ通信部２０は、無線ＬＡＮアクセスポイント３から送信される無線信号の電波強度を検出して制御部２５へ出力する機能も有している。なお、無線ＬＡＮとして、例えば、ＩＥＥＥ８０２．１１によって規定される無線ＬＡＮなどがあるが、かかる規格の無線ＬＡＮに限定されるものではない。
【００４７】
無線ＷＡＮ通信部２１は、携帯電話基地局７との間で情報の送受信を行う。携帯電話基地局７は、例えば、公衆電話通信網の無線基地局や公衆データ通信網の無線基地局である。
【００４８】
表示部２２は、タッチパネル式のディスプレイである。無線端末２のユーザは、表示部２２の画面上を指などで操作することで、表示部２２に表示された情報通知アプリの操作画面に対する操作が可能である。かかる表示部２２は、例えば、小型のＬＣＤ（Liquid  Crystal  Display）や有機ＥＬディスプレイである。なお、表示出力部の一例として、表示部２２を例に挙げて説明するが、上述したように、通知用情報は音声情報や振動情報などであってもよい。この場合、音声情報に基づいた音声を出力する音声出力部が表示出力部の一例であり、振動情報に基づいて振動する振動出力部が表示出力部の一例である。
【００４９】
操作部２３は、文字、数字およびスペースを入力するためのキー、エンターキーおよび矢印キーなどを含むキーボードや、電源ボタンなどを有する。
【００５０】
記憶部２４は、例えば、ＲＡＭ（Random  Access  Memory)、フラッシュメモリ等の半導体メモリ素子、または、ハードディスク、光ディスク等の記憶装置である。かかる記憶部２４は各種プログラムや設定データなどが記憶される。記憶部２４に記憶されるプログラムは、例えば、ＯＳ（Operating  System）、情報通知アプリケーション（以下、情報通知アプリと記載する）のプログラムなどである。無線端末２の制御部２５は、例えば、通信ネットワーク５を介して情報通知アプリのプログラムデータを取得して記憶部２４に記憶する。
【００５１】
制御部２５は、例えば、ＡＳＩＣ（Application  Specific  Integrated  Circuit）やＦＰＧＡ（Field  Programmable  Gate  Array）等の集積回路により実現される。また、制御部２５は、例えば、ＣＰＵ（Central  Processing  Unit）やＭＰＵ（Micro  Processing  Unit）等によって、記憶部２４に記憶されているプログラムが図示しない内部ＲＡＭを作業領域として実行されることにより後述する情報処理の機能や作用を実現または実行する。
【００５２】
かかる制御部２５は、記憶部２４にプログラムデータが記憶されている情報通知アプリを実行することによって、情報管理部５１および表示制御部５２として機能する。また、制御部２５は、記憶部２４にプログラムデータが記憶されている情報通知アプリを実行することによって、例えば、情報通知アプリの設定データの初期値、ＡＰ情報テーブルおよび通知ＡＰ情報テーブルを記憶部２４に記憶する。
【００５３】
なお、制御部２５の構成は、かかる構成に限られず、後述する情報処理を行う構成であれば他の構成であってもよい。また、情報通知アプリの機能を予め制御部２５に設定しておくこともできる。
【００５４】
〔１．４．１．情報管理部５１〕
情報管理部５１は、無線ＬＡＮ通信部２０に対して検出した無線ＬＡＮアクセスポイント３の情報（以下、ＡＰ検出情報と記載する）を所定周期（例えば、１秒毎）に取得し、取得した情報を記憶部２４に記憶する。これにより、ＡＰ検出情報の取得履歴が記憶部２４に記憶される。
【００５５】
図４は、ＡＰ検出情報の構成を示す図である。図４に示すように、ＡＰ検出情報には、「ＡＰ―ＬＩＤ」、「電波強度」および「検出時間」の情報が含まれる。
【００５６】
「ＡＰ―ＬＩＤ」は、例えば、無線ＬＡＮアクセスポイント３の無線ＬＡＮ通信部３０のＭＡＣアドレス（Media  Access  Control  address）であり、無線ＬＡＮアクセスポイント３から送信される無線信号（以下、ＡＰ無線信号と記載する）に含まれる。なお、無線ＬＡＮアクセスポイント３が識別できる情報であれば、無線ＬＡＮ通信部３０のＭＡＣアドレスに限られない。
【００５７】
「電波強度」は、ＡＰ無線信号の電波強度の情報である。ここでは、ＡＰ無線信号の電波強度は０〜１０の範囲で強度が高いほど値が大きくなる強度レベルであるが、その他の単位（例えば、ｄＢｍ）で設定することもできる。
【００５８】
「検出時間」は、ＡＰ無線信号の電波強度を無線ＬＡＮ通信部２０が検出した時間である。なお、情報管理部５１は、無線ＬＡＮ通信部２０から検出時間の情報が取得できない場合、無線ＬＡＮ通信部２０からＡＰ無線信号の電波強度などの情報を取得した時間を「検出時間」に代えてＡＰ検出情報として記憶部２４に記憶する。
【００５９】
このように、情報管理部５１は、無線端末２が進入したＡＰ通信エリアに関するＡＰ検出情報を取得して記憶部２４に記憶するようにしており、かかるＡＰ検出情報に基づいて、通知取得対象にする無線ＬＡＮアクセスポイント３を判定する。
【００６０】
具体的には、情報管理部５１は、記憶部２４に記憶しているＡＰ検出情報に基づき、無線端末２が進入したＡＰ通信エリアの無線ＬＡＮアクセスポイント３毎の平均電波強度、平均滞在時間および進入回数などをＡＰ単位情報として求める。そして、情報管理部５１は、ＡＰ単位情報を記憶部２４に記憶しているＡＰ情報テーブルに設定する。
【００６１】
図５は、ＡＰ情報テーブルの一例を示す図である。図５に示すように、ＡＰ情報テーブルは、「ＡＰ―ＬＩＤ」毎に、「平均電波強度」、「平均滞在時間」および「進入回数」などを関連付けたＡＰ単位情報である。「ＡＰ―ＬＩＤ」は、上述したＡＰ検出情報の「ＡＰ―ＬＩＤ」と同じである。
【００６２】
「平均電波強度」は、無線端末２が進入したＡＰ通信エリアで受信したＡＰ無線信号の電波強度の平均値であり、情報管理部５１は、かかる平均電波強度を、所定期間Ｔａの間に無線ＬＡＮ通信部２０で受信されたＡＰ無線信号の電波強度に基づいて求める。
【００６３】
「平均滞在時間」は、無線端末２が進入したＡＰ通信エリアでの滞在時間の平均値であり、情報管理部５１は、かかる平均滞在時間を、所定期間Ｔａの間に無線ＬＡＮ通信部２０から出力される「検出時間」または「取得時間」に基づいて求める。例えば、情報管理部５１は、同一「ＡＰ―ＬＩＤ」のＡＰ検出情報において「検出時間」が連続している場合には、ＡＰ通信エリアに滞在状態と判定し、「検出時間」が連続しなくなるまでの期間を「滞在時間」とし、かかる「滞在時間」の平均値を「平均滞在時間」とする。
【００６４】
「進入回数」は、無線端末２がＡＰ通信エリアへ進入した回数であり、情報管理部５１は、同一「ＡＰ―ＬＩＤ」のＡＰ検出情報において「検出時間」が所定時間以上連続している場合には、ＡＰ通信エリアに滞在状態と判定し、「進入回数」をインクリメントする。
【００６５】
図５に示すＡＰ情報テーブルでは、例えば、ＡＰ―ＬＩＤ「Ａ１」のＡＰ通信エリアにおいて、無線端末２が受信したＡＰ無線信号の電波強度の平均値が「１０」であり、無線端末２の滞在時間の平均値が「３０秒」であり、進入回数が「１回」である。
【００６６】
なお、上述した所定期間Ｔａは、情報通知アプリの設定画面からユーザが設定することができる。情報通知アプリの設定画面は、表示制御部５２が記憶部２４に記憶された設定データに基づいて表示部２２に表示し、かかる表示状態において、表示部２２または操作部２３へのユーザ操作による操作内容に応じて記憶部２４の設定データを更新することができる。
【００６７】
また、無線端末２のユーザは、情報通知アプリの設定画面において、上述のように所定期間Ｔａの値で設定することができる他、自動で所定期間Ｔａの値を設定する自動モードを選択することもできる。情報管理部５１は、自動モードでは、所定の条件を満たすまでの期間を所定期間Ｔａとする。
【００６８】
所定の条件としては、記憶部２４に新たな記憶されたＡＰ検出情報の数、記憶部２４に新たな記憶されたＡＰ検出情報に含まれるＡＰ―ＬＩＤの数、または、これらの組み合わせなどがある。例えば、情報管理部５１は、記憶部２４に新たな記憶されたＡＰ検出情報の数が所定数以上、かつ、記憶部２４に新たな記憶されたＡＰ検出情報に含まれるＡＰ―ＬＩＤの数が所定数以上になることを所定の条件として、所定期間Ｔａを設定することができる。
【００６９】
なお、ユーザが手動で所定期間Ｔａを設定する場合、例えば、現時点から過去の所定時間前までの期間を所定期間Ｔａ（例えば、５時間前まで、１日前まで、１週間前まで、１ヶ月前までなど）とすることができる。
【００７０】
このように、情報管理部５１は、無線端末２が進入したＡＰ通信エリア単位で、平均電波強度、平均滞在時間および進入回数を求め、これらの情報に基づいて、通知取得対象とする無線ＬＡＮアクセスポイント３を決定する。
【００７１】
情報管理部５１は、通知取得対象を決定するモードとして、第１決定モードおよび第２決定モードを有しており、どのモードによって通知取得対象を決定するかは、所定期間Ｔａの場合と同様に、情報通知アプリの設定画面からユーザが設定することができる。
【００７２】
まず、第１決定モードについて説明する。情報管理部５１は、第１決定モードが設定されている場合、無線ＬＡＮアクセスポイント３の電波強度の情報に基づいて決定される順位が上位所定数Ｋ１以内である無線ＬＡＮアクセスポイント３を通知取得対象として判定する。
【００７３】
具体的には、情報管理部５１は、ＡＰ情報テーブルに設定された平均電波強度のうち、最も強度レベルが高いＡＰ―ＬＩＤから順から抽出し、順位が上位所定数Ｋ１以内であるＡＰ―ＬＩＤに対応する無線ＬＡＮアクセスポイント３を通知取得対象として判定する。
【００７４】
かかる処理において、情報管理部５１は、ＡＰ無線信号の電波強度に基づいて決定される順位が最上位所定数Ｋ２（＜Ｋ１）以内である無線ＬＡＮアクセスポイント３をＬＡＮ通知取得対象として判定する。また、情報管理部５１は、ＡＰ無線信号の電波強度に基づいて決定される順位が上位所定数Ｋ１以上かつ最上位所定数Ｋ２未満である無線ＬＡＮアクセスポイント３をＷＡＮ通知取得対象として判定する。
【００７５】
情報管理部５１は、かかる判定結果を記憶部２４の通知ＡＰ情報テーブルに設定する。図６は、通知ＡＰ情報テーブルの一例を示す図である。図６に示すように、通知ＡＰ情報テーブルは、「順位」、「ＡＰ―ＬＩＤ」および「通信媒体」を対応付けた情報である。
【００７６】
「順位」は、ＡＰ無線信号の電波強度に基づいて決定される順位（以下、ＡＰ順位と記載する）であり、情報管理部５１は、平均電波強度が大きい無線ＬＡＮアクセスポイント３ほど順位を高くする。なお、ＡＰ順位は、平均電波強度のみならず、平均滞在時間を考慮して決定することもできる。
【００７７】
例えば、情報管理部５１は、平均電波強度に対して平均滞在時間に応じた重み付けを行った結果が大きい無線ＬＡＮアクセスポイント３ほど順位を高くすることもできる。また、さらに、情報管理部５１は、平均電波強度に対して平均滞在時間および進入回数に応じた重み付けを行った結果が大きい無線ＬＡＮアクセスポイント３ほど順位を高くすることもできる。
【００７８】
まず、第２決定モードについて説明する。情報管理部５１は、第２決定モードが設定されている場合、ＡＰ情報テーブルに設定されたＡＰ単位情報のうち無線端末２のユーザによって設定された条件（以下、通知対象条件と記載する）を満たすＡＰ単位情報に対応する無線ＬＡＮアクセスポイント３を通知取得対象として決定する。
【００７９】
通知対象条件は、所定期間Ｔａと同様に、情報通知アプリの設定画面から無線端末２のユーザが設定することができる。無線端末２のユーザにより設定された通知対象条件の情報は、記憶部２４に記憶される。情報管理部５１は、記憶部２４に記憶された通知対象条件の情報に基づいて、通知取得対象を判定する。
【００８０】
通知対象条件として、平均電波強度、平均滞在時間および進入回数のうちいずれか１つの下限値または２以上の下限値を設定することができる。例えば、平均電波強度の下限値が「３」であり、かつ、平均滞在時間の下限値が「２０秒」である場合、情報管理部５１は、「３」以上の平均電波強度でかつ「２０秒」以上の平均滞在時間を含むＡＰ単位情報に対応する無線ＬＡＮアクセスポイント３を通知取得対象として決定する。
【００８１】
なお、通知取得対象を決定するタイミングは、例えば、ＡＰ情報テーブルの更新と同期して行うことができ、また、通知対象条件と同様に、情報通知アプリの設定画面から無線端末２のユーザが設定することができる。また、情報通知アプリの設定画面に「決定タイミング更新ボタン」を設け、かかる「決定タイミング更新ボタン」が無線端末２のユーザにより選択された場合に、情報管理部５１が通知取得対象を決定する処理を開始することもできる。
【００８２】
情報管理部５１は、上述のように通知取得対象を決定すると、かかる通知取得対象の情報を無線ＬＡＮ通信部２０または無線ＷＡＮ通信部２１を介して情報提供装置４へ送信する。なお、情報管理部５１は、通知取得対象となる無線ＬＡＮアクセスポイント３に進入した場合に、かかる無線ＬＡＮアクセスポイント３経由で通知取得対象の情報を情報提供装置４へ送信することもできる。
【００８３】
〔１．４．２．表示制御部５２〕
次に、表示制御部５２について説明する。表示制御部５２は、情報提供装置４から送信されて無線ＬＡＮ通信部２０または無線ＷＡＮ通信部２１により受信される通知用情報を表示部２２に表示する。
【００８４】
図７（ａ）は、無線ＬＡＮアクセスポイント３経由で通知されるＬＡＮ通知用情報を無線端末２の表示部２２で表示した画面例を示す図である。ＬＡＮ通知用情報は、例えば、ＡＰ設置場所に関連するデジタルコンテンツやショッピングページなどのコンテンツであり、相対的に情報量が多い情報である。
【００８５】
無線ＬＡＮアクセスポイント３経由での通信は、通信速度も相対的に速いことが多いことから、通知用情報を相対的に情報量が多い情報とした場合であっても無線端末２で高速に通知用情報を取得することができるため、適切なタイミングで通知用情報を無線端末２へ通知できる。また、無線ＬＡＮアクセスポイント３経由での通信は、通信料金が低額またはゼロであることが多く、また、無線端末２のユーザにとって料金負担も低い。
【００８６】
図７（ｂ）は、携帯電話基地局７経由で通知されるＷＡＮ通知用情報を無線端末２の表示部２２で表示した画面例を示す図である。ＷＡＮ通知用情報は、例えば、ＡＰ設置場所に対応する簡単な情報であり、相対的に情報量が少ない情報である。図７（ｂ）に示す例では、ＡＰ設置場所の店舗内で販売している電子レンジが大特価販売中であることを示す情報が通知用情報として無線端末２の表示部２２に表示される。
【００８７】
携帯電話基地局７経由での通信は、通信速度も相対的に遅い場合が多いことから、相対的に情報量が少ない情報を通知用情報とすることにより無線端末２で高速に通知用情報を取得でき、適切なタイミングで通知用情報を無線端末２へ通知できる。携帯電話基地局７経由での通信は、通信料金が相対的に高額である場合が多く、また、使用上限を定めていることが多く、無線端末２のユーザにとっての利用負担を低減することができる。
【００８８】
なお、表示制御部５２は、情報通知アプリで必要なその他の表示制御も行う。例えば、表示制御部５２は、情報通知アプリの設定画面のレイアウトデータおよび記憶部２４に記憶された設定データに基づいて情報通知アプリの設定画面を表示部２２に表示する。
【００８９】
また、表示制御部５２は、通知用情報の取得を表示出力部から通知することもできる。例えば、表示制御部５２は、音声出力部（図示せず）から音声の出力によって通知用情報の取得を通知したり、振動出力部（図示せず）から振動の出力によって通知用情報の取得を通知したり、音声・振動双方の出力によって音声出力部および振動出力部から通知することができる。
【００９０】
〔１．５．無線ＬＡＮアクセスポイント３の構成〕
まず、無線ＬＡＮアクセスポイント３の構成について具体的に説明する。図２に示すように、無線ＬＡＮアクセスポイント３は、無線ＬＡＮ通信部３０と、通信部３１と、制御部３２とを有する。
【００９１】
無線ＬＡＮ通信部３０は、対象となる場所を含む領域がその通信エリアとなるように設置される。かかる無線ＬＡＮ通信部３０は、無線ＬＡＮ通信を行う通信インタフェースであり、無線ＬＡＮ通信機能を搭載した無線端末２との間で無線信号により情報の送受信を行う。
【００９２】
通信部３１は、通信ネットワーク５に接続され、通信ネットワーク５を介して情報提供装置４やウェブサーバ（図示せず）との間で情報の送受信を行う。かかる通信部３１は、通信ネットワーク５との接続を有線または無線で行う。以下、通信ネットワーク５に接続された情報提供装置４やウェブサーバ（図示せず）などの装置を通信ネットワーク側装置と記載する。
【００９３】
制御部３２は、情報中継処理を行う中継部３５と、無線端末２の検出処理を行う検出部３６を備えており、以下に説明する情報処理の機能や作用を実現または実行する。なお、制御部３２の内部構成は、かかる構成に限られず、後述する情報処理を行う構成であれば他の構成であってもよい。
【００９４】
〔１．５．１．中継部３５〕
中継部３５は、例えば、無線端末２から無線ＬＡＮ通信部３０を介して取得した情報を通信部３１から通信ネットワーク側装置へ送信し、また、通信ネットワーク側装置から通信部３１を介して取得した情報を無線ＬＡＮ通信部３０から無線端末２へ送信する。
【００９５】
なお、無線ＬＡＮアクセスポイント３から通信ネットワーク側装置への情報送信は、例えば、無線ＬＡＮアクセスポイント３に割り当てられる通信ネットワーク５のアドレスを送信元アドレスとし、通信ネットワーク側装置に割り当てられる通信ネットワーク５のアドレスを送信先アドレスとしたパケット通信により行われる。通信ネットワーク５のアドレスは、例えば、通信部３１に割り当てられるアドレスであり、例えば、ＩＰアドレスである。
【００９６】
〔１．５．２．検出部３６〕
検出部３６は、無線端末２から送信される無線パケットを無線ＬＡＮ通信部３０経由で取得することで、無線端末２の存在を検出する。図８Ａおよび図８Ｂは、無線ＬＡＮアクセスポイント３と無線端末２との間のセッション確立のシーケンスを示す図である。
【００９７】
図８Ａに示す例では、無線端末２から周期的にプローブ要求と呼ばれる無線パケットがブロードキャストなどによって送信されており、検出部３６は、かかる無線パケットを無線ＬＡＮ通信部３０経由で取得することで、無線端末２の存在を検出する。
【００９８】
プローブ要求にはＢＳＳＩＤ（Basic  Service  Set  Identifier）が含まれており、検出部３６は、無線ＬＡＮ通信部３０のＢＳＳＩＤと一致する場合に、プローブ応答を無線端末２へ送信する。プローブ応答を受信した無線端末２は、自動通信の設定がされている場合、通信中状態へ移行する。
【００９９】
通信中状態への移行は、図８Ａに示すように、アソシエーション要求とアソシエーション応答によりセッションを確立することによって行われ、その後、無線端末２と無線ＬＡＮ通信部３０との間で、データフレームやコントロールフレームの送受信が行われて通信中状態になる。
【０１００】
また、検出部３６は、周期的に無線パケットが送信されない無線端末２に対して、例えば、図８Ｂに示すように、ビーコンと呼ばれる無線パケットを無線ＬＡＮ通信部３０を介してブロードキャストし、かかるビーコンに対するアソシエーション要求を受信することで、無線端末２の存在を検出する。アソシエーション要求を受信した検出部３６は、アソシエーション応答を無線端末２へ送信することによってセッションを確立し、無線端末２と無線ＬＡＮ通信部３０との間を通信中状態にする。
【０１０１】
検出部３６は、通信中状態へ移行すると、その後、通信中状態が解除されるまで繰り返し無線パケットを受信しており、無線端末２の存在を検出している状態である。なお、無線端末２から切断要求があった場合や、無線端末２と無線ＬＡＮ通信部３０との間で無線パケットを送受信できなくなった場合に、通信中状態が解除される。
【０１０２】
検出部３６は、例えば無線端末２を検出したと判定すると、無線端末２の端末情報を通信部３１経由で情報提供装置４へ送信する。具体的には、検出部３６は、無線端末２から送信される無線パケットに含まれる端末ＩＤを抽出し、さらに電波強度を検出する。
【０１０３】
端末ＩＤは、例えば、無線端末２の無線ＬＡＮ通信部２０のＭＡＣアドレスであり、無線パケットに付加されて無線端末２から送信される。電波強度は、無線ＬＡＮアクセスポイント３で受信される無線信号の電波強度である。
【０１０４】
検出部３６は、無線端末２の端末ＩＤおよび電波強度の情報に加え、ＡＰ―ＷＩＤおよび通信中状態であるか否かの情報を端末情報として、情報提供装置４へ送信する。ＡＰ―ＷＩＤとしては、例えば、通信部３１に割り当てられる通信ネットワーク５のネットワークアドレスを用いることができる。
【０１０５】
〔１．６．情報提供装置４の構成〕
次に、実施形態に係る情報提供装置４の具体的構成について説明する。図２に示すように、情報提供装置４は、通信部４０と、記憶部４１と、制御部４２とを有する。さらに、記憶部４１は、ユーザ情報ＤＢ４３と、場所情報ＤＢ４４とを有し、制御部４２は、取得部４５と、決定部４６と、送信部４７と、情報提供部４８とを有する。
【０１０６】
通信部４０は、ＮＩＣ（Network  Interface  Card）等のインタフェースである。制御部４２は、通信部４０および通信ネットワーク５を介して、無線ＬＡＮアクセスポイント３や、無線ＬＡＮアクセスポイント３を介した無線端末２との間で各種の情報を送受信する。
【０１０７】
ユーザ情報ＤＢ４３および場所情報ＤＢ４４は、例えば、ハードディスク、ＲＡＭ、フラッシュメモリ等の半導体メモリ素子、光ディスク等の記憶装置である。なお、ユーザ情報ＤＢ４３および場所情報ＤＢ４４を一つのＤＢとしてもよい。なお、ユーザ情報ＤＢ４３および場所情報ＤＢ４４に記憶される各種のＩＤは、「Ａ１」や「Ｕ１」などの符号を用いて説明するが、説明の便宜上区別するために付した符号であり、かかる符号に限定される趣旨ではない。
【０１０８】
制御部４２は、例えば、ＡＳＩＣやＦＰＧＡ等の集積回路により実現される。また、制御部４２は、ＣＰＵまたはＭＰＵによって内部の記憶装置に記憶されたプログラムがＲＡＭを作業領域として実行されることで、取得部４５、決定部４６、送信部４７および情報提供部４８として機能する。なお、制御部４２の構成は、かかる構成に限られず、後述する情報処理を行う構成であれば他の構成であってもよい。
【０１０９】
〔１．６．１．取得部４５〕
取得部４５は、無線ＬＡＮアクセスポイント３から送信される情報を取得する。無線ＬＡＮアクセスポイント３から送信される情報として、上述したように、例えば、端末情報がある。取得部４５は、無線ＬＡＮアクセスポイント３から送信される端末情報を取得すると、端末情報に含まれる情報に基づき、場所情報ＤＢ４４の端末情報テーブルを更新する。
【０１１０】
図９は、端末情報テーブルの一例を示す図である。図９に示すように、端末情報テーブルは、「ＡＰ―ＷＩＤ」毎に、「端末ＩＤ」、「チェックイン時刻」、「チェックアウト時刻」」および「電波強度」が関連付けられた情報である。
【０１１１】
「ＡＰ―ＷＩＤ」は、無線ＬＡＮアクセスポイント３の識別情報であり、無線ＬＡＮアクセスポイント３毎に割り当てられる情報である。「ＡＰ―ＷＩＤ」は、例えば、無線ＬＡＮアクセスポイント３の通信部３１に割り当てられる通信ネットワーク５のネットワークアドレスである。
【０１１２】
「端末ＩＤ」は、関連付けられた無線ＬＡＮアクセスポイント３のＡＰ通信エリア内に存在する無線端末２の端末ＩＤである。例えば、図９に示す例では、ＡＰ―ＷＩＤ「ＡＷ１」の無線ＬＡＮアクセスポイント３1のＡＰ通信エリア内に、端末ＩＤ「Ｔ１」〜「Ｔ４」の無線端末２1〜２4などが存在していることを示している。
【０１１３】
「電波強度」は、ＡＰ通信エリア内に存在する無線端末２の電波強度の情報である。図９に示す例では、便宜上、各端末ＩＤに対応して最新の電波強度の情報が示されているが、無線端末２がＡＰ通信エリアへ進入したときからの電波強度の情報やその平均値が端末情報テーブルに設定される。また、図９に示す例では、図５に示す場合と同様に、電波強度を０〜１０の範囲で強度が高いほど値が大きくなる強度レベルで表しているが、その他の単位（例えば、ｄＢｍ）で設定することもできる。
【０１１４】
取得部４５は、無線ＬＡＮアクセスポイント３から通信中状態である情報を含む端末情報を受信した場合、端末情報に含まれる「ＡＰ―ＷＩＤ」に対応付けて、端末情報に含まれる端末ＩＤおよび電波強度の情報を端末情報テーブルに設定する。また、取得部４５は、無線端末２が通信中状態となった時刻を「チェックイン時刻」として端末情報テーブルに設定する。
【０１１５】
チェックイン時刻と現時刻とを比較することによってＡＰ通信エリア内での無線端末２の滞在時間を検出することができる。なお、取得部４５は、通信中状態であるか否かとは無関係に端末情報の受信を開始した時刻を「進入時刻」として端末情報テーブルに設定することでもきる。
【０１１６】
端末情報テーブルに情報が設定された無線端末２がその後ＡＰ通信エリアから退出した場合、取得部４５は、無線端末２の退出時刻を「チェックアウト時刻」として端末情報テーブルに設定する。
【０１１７】
また、取得部４５は、無線端末２から通知取得対象の情報を取得すると、かかる通知取得対象の情報を後述するユーザ情報テーブルに設定する。
【０１１８】
〔１．６．２．決定部４６〕
決定部４６は、端末情報テーブルおよびユーザ情報テーブルに基づき、無線ＬＡＮアクセスポイント３および携帯電話基地局７のうちのいずれの通信媒体から通知用情報を通知するかを決定する。
【０１１９】
具体的には、決定部４６は、端末情報テーブルに基づき、新たにＡＰ通信エリアに進入した無線端末２（以下、新規進入端末と記載する場合がある）があるか否かを判定する。例えば、決定部４６は、端末情報テーブルに新たな「チェックイン時刻」が設定された無線端末２を新規進入端末として判定する。
【０１２０】
なお、決定部４６は、端末情報テーブルに新たな「チェックイン時刻」が設定され、かつ滞在時間が所定時間となった無線端末２を新規進入端末として判定することもできる。また、決定部４６は、端末情報テーブルに新たな「チェックイン時刻」が設定され、かつ滞在時間が所定時間経過し、さらに、電波強度が所定値以上の無線端末２を新規進入端末として判定することもできる。
【０１２１】
新規進入端末がある場合、決定部４６は、ユーザ情報ＤＢ４３に記憶されたユーザ情報テーブルに基づき、通知用情報を通知するか否かを決定する。ユーザ情報テーブルには、通知対象ＡＰとして通知取得対象の無線ＬＡＮアクセスポイント３のＡＰ―ＬＩＤが設定される。決定部４６は、ユーザ情報テーブルに新規進入端末に対応するＡＰ―ＬＩＤが設定されている場合に、通知用情報を通知すると判定し、ユーザ情報テーブルに新規進入端末に対応するＡＰ―ＬＩＤが設定されていない場合、通知用情報を通知しないと判定する。
【０１２２】
図１０は、ユーザ情報テーブルの一例を示す図である。図１０に示すように、ユーザ情報テーブルは、「ユーザＩＤ」毎に、「端末ＩＤ」、「ＷＡＮ−ＩＤ」、「通知対象ＡＰ」などの各情報を対応付けた情報である。「端末ＩＤ」および「ＷＡＮ−ＩＤ」は、例えば、無線端末２から情報提供装置４への登録要求等に含まれる情報であり、無線端末２が情報提供装置４に対して、ユーザ登録を行った場合に、取得部４５によってユーザ情報テーブルに設定される。
【０１２３】
「ユーザＩＤ」は、無線端末２のユーザ毎に割り当てられたＩＤであり、例えば、無線端末２から情報提供装置４に対してユーザ登録を行った場合に、取得部４５によってユーザ情報テーブルに設定される。
【０１２４】
「端末ＩＤ」は、無線端末２の無線ＬＡＮ通信部２０側の識別情報であり、例えば、無線端末２の無線ＬＡＮ通信部２０に割り当てられたＭＡＣアドレスである。この場合、無線端末２は、端末ＩＤを含む無線パケットを送受信することで無線ＬＡＮアクセスポイント３との間で通信を行う。なお、端末ＩＤは、無線端末２を識別できるものであればよく、必ずしもＭＡＣアドレスに限られるものではない。
【０１２５】
「ＷＡＮ−ＩＤ」は、無線端末２の携帯電話通信部側の識別情報である。例えば、無線端末２が第３世代移動通信システムである場合、ＷＡＮ−ＩＤは、無線端末２に搭載されたＳＩＭカード（Subscriber Identity Module Card）の固有番号である。かかる固有番号は、ＩＭＳＩ(International Mobile Subscriber Identity)とも呼ばれる。無線端末２は、ＷＡＮ−ＩＤを含む無線パケットを送受信することで携帯電話基地局７との間で通信を行う。
【０１２６】
「通知対象ＡＰ」は、無線端末２から通知取得対象として指定された無線ＬＡＮアクセスポイント３のＡＰ―ＬＩＤである。通知対象ＡＰには、ＬＡＮ通知対象ＡＰとＷＡＮ通知対象ＡＰとがある。かかる通知対象ＡＰは、無線端末２から通知取得対象の情報が情報提供装置４に送信された場合に、取得部４５によりユーザ情報テーブルに設定される。
【０１２７】
決定部４６は、ユーザ情報テーブルに新規進入端末に対応するＡＰ―ＬＩＤが設定されている場合に、通知用情報を通知すると決定する。通知用情報は、無線ＬＡＮアクセスポイント３または携帯電話基地局７のいずれかの通信媒体（以下、通知用通信媒体と記載する場合がある）から通知される。
【０１２８】
決定部４６は、新規進入端末に対応するＡＰ―ＬＩＤがＬＡＮ通知対象ＡＰとして設定されている場合には、通知用通信媒体が無線ＬＡＮアクセスポイント３であると決定する。一方、決定部４６は、新規進入端末に対応するＡＰ―ＬＩＤがＷＡＮ通知対象ＡＰとして設定されている場合には、通知用通信媒体が携帯電話基地局７であると決定する。
【０１２９】
〔１．６．３．送信部４７〕
送信部４７は、端末情報で特定される新規進入端末に対し、場所情報ＤＢ４４に記憶された場所情報テーブルの通知用情報を、決定部４６によって決定した通知用通信媒体から通知させる。
【０１３０】
送信部４７は、場所情報ＤＢ４４に記憶された場所情報テーブルから通知用通信媒体に対応する通知用情報を取得し、ユーザ情報ＤＢ４３に記憶されたユーザ情報テーブルに基づいた宛先へ送信して、通知用情報を通知用通信媒体から新規進入端末へ通知させる。
【０１３１】
図１１は、場所情報テーブルの一例を示す図である。図１１に示すように、場所情報テーブルには、「ＡＰ―ＬＩＤ」および「ＡＰ―ＷＩＤ」毎に、「場所名」、「ＬＡＮ通知用情報」、「ＷＡＮ通知用情報」および「場所情報」などの各情報を対応付けた情報が含まれる。
【０１３２】
「ＡＰ―ＬＩＤ」は、ＡＰ情報テーブルに設定される「ＡＰ―ＬＩＤ」と同様の情報であり、「ＡＰ―ＷＩＤ」は、端末情報テーブルに設定される「ＡＰ―ＷＩＤ」と同様の情報である。また、「場所名」は、ＡＰ設置場所の名称であり、例えば、ＡＰ―ＬＩＤ「ＡＬ１」では、「場所名」が「Ａ店舗」である。
【０１３３】
「ＬＡＮ通知用情報」は無線ＬＡＮアクセスポイント３経由で無線端末２へ通知する通知用情報のファイル名を示す情報であり、場所情報ＤＢ４４に記憶される。また、「ＷＡＮ通知用情報」は携帯電話基地局７経由で無線端末２へ通知する通知用情報のファイル名を示す情報であり、場所情報ＤＢ４４に記憶される。
【０１３４】
図１１に示す場所情報テーブルでは、例えばＡＰ―ＬＩＤ「ＡＬ１」の「ＬＡＮ通知用情報」は、ファイル名「noticeA11.data」であり、「ＷＡＮ通知用情報」は、ファイル名「noticeA12.data」である。
【０１３５】
送信部４７は、通知用通信媒体が無線ＬＡＮアクセスポイント３である場合、場所情報テーブルに設定されたＬＡＮ通知用情報を取得し、ユーザ情報テーブルに設定された端末ＩＤを新規進入端末の宛先として無線ＬＡＮアクセスポイント３へ送信する。これにより、ＷＡＮ通知用情報が無線ＬＡＮアクセスポイント３から新規進入端末へ通知される。
【０１３６】
また、送信部４７は、通知用通信媒体が携帯電話基地局７である場合、場所情報テーブルに設定されたＷＡＮ通知用情報を取得し、ユーザ情報テーブルに設定されたＷＡＮ−ＩＤを新規進入端末の宛先として通信ネットワーク５経由で携帯電話通信網６へ送信する。これにより、ＬＡＮ通知用情報が携帯電話基地局７から新規進入端末へ通知される。
【０１３７】
〔１．６．４．情報提供部４８〕
情報提供部４８は、無線端末２から無線ＬＡＮアクセスポイント３を介して情報提供要求があった場合に、要求元の無線端末２へ情報提供要求に対応する情報を無線ＬＡＮアクセスポイント３経由で送信する。
【０１３８】
情報提供要求に対応する情報は、ＡＰ―ＷＩＤ毎に場所情報ＤＢ４４に記憶されており、情報提供部４８は、情報提供要求を転送した無線ＬＡＮアクセスポイント３のＡＰ―ＷＩＤに基づき、場所情報ＤＢ４４から情報を取得して無線端末２へ送信する。
【０１３９】
例えば、無線端末２の表示部２２がタッチパネルディスプレイである場合、無線端末２の表示部２２に表示された図７（ａ）、（ｂ）に示す通知用情報を無線端末２のユーザが選択することで、情報提供要求が無線端末２から送信される。
【０１４０】
〔１．７．情報提供システム１の処理フロー〕
次に、実施形態に係る情報提供システム１による情報提供処理の手順について説明する。図１２〜図１５は、情報提供システム１による情報提供処理フローを説明するための図である。以下においては、図１２を参照して無線端末２の処理を説明し、図１３を参照して無線ＬＡＮアクセスポイント３の処理を説明し、図１４および図１５を参照し、情報提供装置４の処理を説明する。
【０１４１】
〔１．７．１．無線端末２の処理フロー〕
まず、実施形態に係る無線端末２の情報処理について、図１２を参照して説明する。図１２は、無線端末２における情報処理のフローチャートである。かかる動作は、無線端末２の制御部２５によって繰り返し実行される処理である。
【０１４２】
図１２に示すように無線端末２の制御部２５は、無線ＬＡＮ通信部２０を介して無線ＬＡＮアクセスポイント３から送信されるＡＰ無線信号を検出したか否かを判定する（ステップＳ２０）。かかる処理において、無線ＬＡＮアクセスポイント３から送信されるＡＰ無線信号を検出したと判定すると（ステップＳ２０；Ｙｅｓ）、制御部２５は、ＡＰ―ＬＩＤ、電波強度および検出時間の情報を含むＡＰ検出情報を記憶部２４に記憶する（ステップＳ２１）。
【０１４３】
ステップＳ２１の処理が終了した場合、ステップＳ２０の処理において、無線ＬＡＮアクセスポイント３から送信されるＡＰ無線信号を検出していないと判定した場合（ステップＳ２０；Ｎｏ）、制御部２５は、ＡＰ情報テーブルの更新タイミングになったか否かを判定する（ステップＳ２２）。ＡＰ情報テーブルの更新タイミングになったと判定すると（ステップＳ２２；Ｙｅｓ）、制御部２５は、記憶部２４に記憶しているＡＰ検出情報に基づき、無線ＬＡＮアクセスポイント３単位で、平均電波強度、平均滞在時間および進入回数を求め、ＡＰ情報テーブルを更新する（ステップＳ２３）。
【０１４４】
ステップＳ２３の処理が終了した場合、または、ステップＳ２２において、ＡＰ情報テーブルの更新タイミングになっていないと判定すると（ステップＳ２２；Ｎｏ）、制御部２５は、通知取得対象の決定タイミングになったか否かを判定する（ステップＳ２４）。通知取得対象の決定タイミングになったと判定すると（ステップＳ２４；Ｙｅｓ）、制御部２５は、記憶部２４に記憶しているＡＰ情報テーブルに基づき、通知取得対象とする無線ＬＡＮアクセスポイント３を決定し、通知取得対象の情報を情報提供装置４へ送信する（ステップＳ２５）。
【０１４５】
ステップＳ２５の処理が終了した場合、または、ステップＳ２４において、通知取得対象の決定タイミングになっていないと判定すると（ステップＳ２４；Ｎｏ）、制御部２５は、無線ＬＡＮアクセスポイント３または携帯電話基地局７から通知用情報を取得したか否かを判定する（ステップＳ２６）。通知用情報を取得したと判定すると（ステップＳ２６；Ｙｅｓ）、制御部２５は、取得した通知用情報を表示部２２に表示する（ステップＳ２７）。
【０１４６】
ステップＳ２７の処理が終了した場合、または、ステップＳ２６において、通知用情報を取得していないと判定された場合（ステップＳ２６；Ｎｏ）、制御部２５は処理を終了する。
【０１４７】
〔１．７．２．無線ＬＡＮアクセスポイント３の処理フロー〕
次に、実施形態に係る無線ＬＡＮアクセスポイント３の情報処理について、図１３を参照して説明する。図１３は、無線ＬＡＮアクセスポイント３における情報処理のフローチャートである。かかる動作は、無線ＬＡＮアクセスポイント３の制御部３２によって繰り返し実行される処理である。
【０１４８】
図１３に示すように、無線ＬＡＮアクセスポイント３の制御部３２は、無線ＬＡＮ通信部３０を介して無線端末２を検出したか否かを判定する（ステップＳ３０）。かかる処理において、無線端末２を検出したと判定すると（ステップＳ３０；Ｙｅｓ）、通信部３１を介して端末情報、ＡＰ―ＷＩＤおよび通話中状態などの情報を含む検出情報を、情報提供装置４へ送信する（ステップＳ３１）。
【０１４９】
ステップＳ３０の処理において、無線端末２を検出していないと判定した場合（ステップＳ３０；Ｎｏ）、または、ステップＳ３１の処理が終了した場合、制御部３２は、通信ネットワーク５に接続された装置（以下、ネットワーク側装置と記載する）から通信部３１を介して情報を受信したか否かを判定する（ステップＳ３２）。ネットワーク側装置から情報を受信したと判定すると（ステップＳ３２；Ｙｅｓ）、制御部３２は、受信した情報をこの情報の宛先となる無線端末２へ転送する（ステップＳ３３）。
【０１５０】
ステップＳ３２において、情報を受信していないと判定した場合（ステップＳ３２；Ｎｏ）、または、ステップＳ３３の処理が終了した場合、制御部３２は、無線端末２からネットワーク側装置に対する要求があるか否かを判定する（ステップＳ３４）。無線端末２からネットワーク側装置に対する要求があると判定すると（ステップＳ３４；Ｙｅｓ）、制御部３２は、無線端末２からネットワーク側装置に対する要求を、通信部３１を介してネットワーク側装置に転送する（ステップＳ３５）。
【０１５１】
ステップＳ３５の処理が終了した場合、または、ステップＳ３４において、無線端末２からネットワーク側装置に対する要求がないと判定された場合（ステップＳ３４；Ｎｏ）、制御部３２は処理を終了する。
【０１５２】
〔１．７．３．情報提供装置４の処理フロー〕
次に、情報提供装置４の処理について説明する。図１４は、情報提供装置４における情報処理のフローチャートである。かかる動作は、情報提供装置４の制御部４２によって繰り返し実行される処理である。
【０１５３】
図１４に示すように、制御部４２は、通信部４０を介して無線端末２から端末情報を取得したか否かを判定する（ステップＳ４０）。無線端末２から端末情報を取得したと判定した場合（ステップＳ４０；Ｙｅｓ）、制御部４２は、通知処理を行う（ステップＳ４１）。かかる通知処理は、図１５に示すステップＳ５０〜Ｓ５５の処理であり、後で詳述する。
【０１５４】
ステップＳ４０において、無線端末２から端末情報を取得していないと判定した場合（ステップＳ４０；Ｎｏ）、または、ステップＳ４１の処理が終了した場合、制御部４２は、通信部４０を介して無線ＬＡＮアクセスポイント３からの通知取得対象の情報を取得したか否かを判定する（ステップＳ４２）。通知取得対象の情報を取得したと判定した場合（ステップＳ４２；Ｙｅｓ）、制御部４２は、通知取得対象の情報をユーザ情報テーブルに設定してユーザ情報テーブルを更新する（ステップＳ４３）。
【０１５５】
ステップＳ４２において、通知取得対象の情報を取得していない場合（ステップＳ４２；Ｎｏ）、または、ステップＳ４３の処理が終了した場合、制御部４２は、通信部４０を介して無線端末２から情報提供要求があったか否かを判定する（ステップＳ４４）。情報提供要求があった場合（ステップＳ４４；Ｙｅｓ）、制御部４２は、情報提供要求に応じた場所情報を要求元の無線端末２へ送信する（ステップＳ４５）。
【０１５６】
ステップＳ４４において、情報提供要求がない場合（ステップＳ４４；Ｎｏ）、または、ステップＳ４５の処理が終了した場合、制御部４２は、処理を終了する。
【０１５７】
次に、図１４のステップＳ４１に示す通知処理について説明する。図１５は、情報提供装置４における通知処理のフローチャートである。
【０１５８】
図１５に示すように、通知処理では、制御部４２は、取得した端末情報に含まれるＡＰ―ＷＩＤ、端末ＩＤ、電波強度および通信中か否かの情報に基づき、端末情報テーブルを更新する（ステップＳ５０）。
【０１５９】
次に、制御部４２は、更新した端末情報テーブルに基づき、ＡＰ通信エリアで新たに無線ＬＡＮアクセスポイント３と通信状態になった無線端末２があるか否かを判定する（ステップＳ５１）。ＡＰ通信エリアに新たに通信状態になった無線端末２（新規進入端末）があると判定すると（ステップＳ５１；Ｙｅｓ）、制御部４２は、ユーザ情報テーブルに基づき、新規進入端末が進入したＡＰ通信エリアの無線ＬＡＮアクセスポイント３が通知取得対象の無線ＬＡＮアクセスポイント３であるか否かを判定する（ステップＳ５２）。
【０１６０】
ステップＳ５２において、通知取得対象の無線ＬＡＮアクセスポイント３に新規進入端末が進入したと判定すると（ステップＳ５２；Ｙｅｓ）、制御部４２は、ユーザ情報テーブルに設定された新規進入端末の通知対象ＡＰの情報に基づき、通知用情報を通知する送信媒体（通知用通信媒体）を新規進入端末が進入した無線ＬＡＮアクセスポイント３に決定するか否かを判定する（ステップＳ５３）。
【０１６１】
無線ＬＡＮアクセスポイント３を通知用通信媒体として決定した場合（ステップＳ５３；Ｙｅｓ）、制御部４２は、場所情報テーブルに設定されたＬＡＮ通知用情報を取得し、ユーザ情報テーブルに設定された端末ＩＤを新規進入端末の宛先として無線ＬＡＮアクセスポイント３へ送信する（ステップＳ５４）。
【０１６２】
一方、携帯電話基地局７を通知用通信媒体として決定した場合（ステップＳ５３；Ｎｏ）、制御部４２は、場所情報テーブルに設定されたＷＡＮ通知用情報を取得し、ユーザ情報テーブルに設定されたＷＡＮ−ＩＤを新規進入端末の宛先として通信ネットワーク５経由で携帯電話通信網６へ送信する（ステップＳ５５）。
【０１６３】
ステップＳ５４、Ｓ５５の処理が終了した場合、または、ステップＳ５１において、ＡＰ通信エリアに新たに通信状態になった無線端末２がないと判定された場合（ステップＳ５１；Ｎｏ）、または、ステップＳ５２において、通知取得対象の無線ＬＡＮアクセスポイント３に新規進入端末が進入していないと判定した場合（ステップＳ５２；Ｎｏ）、制御部４２は処理を終了する。
【０１６４】
〔２．第２の実施形態〕
次に、第２の実施形態に係る情報提供システムの構成について説明する。第１の実施形態に係る情報提供システム１では、通知取得対象を電波強度や滞在時間に基づいて決定したが、第２の実施形態に係る情報提供システムでは、さらに、端末ユーザが指定したキーワードも加えて通知取得対象を決定する。
【０１６５】
図１６は、第２の実施形態に係る情報提供システム１Ａの構成を示す図である。図１６に示すように、第２の実施形態に係る情報提供システム１Ａは、無線端末２Ａ、無線ＬＡＮアクセスポイント３および情報提供装置４Ａなどを備える。なお、図１６においては、携帯電話通信網６、携帯電話基地局７およびゲートウェイサーバ８、９などは省略している。また、以下においては、第１の実施形態に係る情報提供システム１と異なる点を中心に説明し、第１の実施形態と同様の機能を有する構成要素については同一符号を付して説明を省略する。
【０１６６】
無線端末２Ａは、制御部２５Ａを有する。かかる制御部２５Ａは、第１の実施形態に係る制御部２５の機能に加え、無線端末２Ａのユーザからキーワードを設定する機能および設定されたキーワードを情報提供装置４Ａへ送信する機能を有する。
【０１６７】
具体的には、制御部２５Ａは、情報管理部５１Ａと、表示制御部５２Ａとを有する。表示制御部５２Ａは、記憶部２４に記憶されたデータに基づいて情報通知アプリの設定画面を表示部２２に表示する。情報通知アプリの設定画面にはキーワードを入力するための入力枠が設定されており、無線端末２Ａのユーザは、かかる設定画面において、表示部２２または操作部２３への操作を行うことによりキーワードを入力することができる。
【０１６８】
情報管理部５１Ａは無線端末２Ａのユーザによりキーワードが入力されると、記憶部２４に入力されたキーワードを記憶する。さらに、情報管理部５１Ａは、記憶部２４に記憶したキーワードを通知取得対象候補の情報と共に無線ＬＡＮ通信部２０または無線ＷＡＮ通信部２１を介して情報提供装置４Ａへ送信する。通知取得対象候補は、第１の実施形態に係る通知取得対象と同様の方法によりＡＰ単位情報に基づいて決定される。
【０１６９】
情報提供装置４Ａは、制御部４２Ａを有する。かかる制御部４２Ａは、第１の実施形態に係る制御部４２の機能に加え、無線端末２Ａからのキーワードをユーザ情報テーブルに設定し、かかるユーザ情報テーブルに基づいて、通知取得対象の無線ＬＡＮアクセスポイント３を決定する。
【０１７０】
制御部４２Ａは、取得部４５Ａおよび決定部４６Ａを有する。取得部４５Ａは、無線端末２Ａから通知取得対象候補の情報と共にキーワードが情報提供装置４Ａへ送信された場合、キーワードを通知取得対象候補の情報と共にユーザ情報テーブルに設定する。図１７は、第２の実施形態に係るユーザ情報テーブルの一例を示す図である。
【０１７１】
図１７に示すように、ユーザ情報テーブルには、各ユーザＩＤに対応して通知対象候補ＡＰの情報とキーワードが設定される。無線端末２Ａの通知取得対象候補となる無線ＬＡＮアクセスポイント３のＡＰ―ＬＩＤである。図１７に示す例では、ユーザＩＤ「Ｕ１」に対応した通知対象候補ＡＰとして「ＡＬ１」、「ＡＬ２」等が設定され、キーワードとして「中華料理」が設定されている。なお、ユーザＩＤに対応して１つのキーワードのみが設定されているが、２以上のキーワードを設定することができる。
【０１７２】
決定部４６Ａは、ユーザ情報テーブルに設定された通知取得対象候補の無線ＬＡＮアクセスポイント３のＡＰ通信エリアに無線端末２Ａが進入した場合、かかる無線ＬＡＮアクセスポイント３の通知用情報に無線端末２Ａのユーザが設定したキーワードが含まれている場合に、通知取得対象の無線ＬＡＮアクセスポイント３として決定する。
【０１７３】
図１８は、情報提供装置４Ａにおける情報処理のフローチャートであり、図１５に対応する図である。なお、図１８に示すステップＳ５０、Ｓ５１、Ｓ５３〜Ｓ５５は、図１５に示すステップＳ５０、Ｓ５１、Ｓ５３〜Ｓ５５と同じであり、説明を省略する。
【０１７４】
図１８に示すように、ＡＰ通信エリアに新たに通信状態になった無線端末２Ａ（新規進入端末）があると判定すると（ステップＳ５１；Ｙｅｓ）、制御部４２Ａは、ユーザ情報テーブルに基づき、新規進入端末が進入したＡＰ通信エリアの無線ＬＡＮアクセスポイント３が通知取得対象候補の無線ＬＡＮアクセスポイント３であるか否かを判定する（ステップＳ５２Ａ）。
【０１７５】
ステップＳ５２Ａにおいて、新規進入端末が進入したＡＰ通信エリアの無線ＬＡＮアクセスポイント３が通知取得対象候補の無線ＬＡＮアクセスポイント３であると判定すると（ステップＳ５２Ａ；Ｙｅｓ）、制御部４２Ａは、ユーザ情報テーブルにおいて、新規進入端末が進入した無線ＬＡＮアクセスポイント３に対応する通知用情報にキーワードに対応する語が含まれるか否かを判定する（ステップＳ５６）。
【０１７６】
例えば、ユーザＩＤ「Ｕ１」に対応する新規進入端末が通知取得対象候補の無線ＬＡＮアクセスポイント３のＡＰ通信エリアに進入した場合、制御部４２Ａは、かかる無線ＬＡＮアクセスポイント３のＬＡＮ通知用情報またはＷＡＮ通知用情報に「中華料理」に対応する語が含まれていれば、通知取得対象として決定する。
【０１７７】
新規進入端末が進入した無線ＬＡＮアクセスポイント３に対応する通知用情報にキーワードに対応する語が含まれる場合（ステップＳ５６；Ｙｅｓ）、制御部４２Ａは、新規進入端末の通知対象候補ＡＰの情報に基づき、通知用情報を通知する送信媒体（通知用通信媒体）を新規進入端末が進入した無線ＬＡＮアクセスポイント３に決定する（ステップＳ５３）。
【０１７８】
無線ＬＡＮアクセスポイント３を通知用通信媒体として決定した場合（ステップＳ５３；Ｙｅｓ）、制御部４２Ａは、場所情報テーブルに設定されたＬＡＮ通知用情報を取得し、ユーザ情報テーブルに設定された端末ＩＤを新規進入端末の宛先として無線ＬＡＮアクセスポイント３へ送信する（ステップＳ５４）。一方、携帯電話基地局７を通知用通信媒体として決定した場合（ステップＳ５３；Ｎｏ）、制御部４２Ａは、場所情報テーブルに設定されたＷＡＮ通知用情報を取得し、ユーザ情報テーブルに設定されたＷＡＮ−ＩＤを新規進入端末の宛先として通信ネットワーク５経由で携帯電話通信網６へ送信する。（ステップＳ５５）。
【０１７９】
このように、第２の実施形態に係る情報提供システム１Ａでは、無線端末２Ａのユーザによって設定されたキーワードで通知用情報の受信が制限されることから、無線端末２Ａのユーザに対して無制限に情報が通知されず、無線端末２Ａのユーザに不快感を与えることなく、情報の通知を適切に行うことができる。
【０１８０】
なお、上述においては、電波強度や滞在時間に基づいて決定した通知取得対象候補の無線ＬＡＮアクセスポイント３の中から、無線端末２Ａのユーザにより設定されたキーワードに基づいて通知取得対象の無線ＬＡＮアクセスポイント３を決定した。しかし、制御部４２Ａは、無線端末２Ａのユーザにより設定されたキーワードのみに基づいて、通知取得対象の無線ＬＡＮアクセスポイント３を決定することもできる。
【０１８１】
この場合、すべての無線ＬＡＮアクセスポイント３を通知取得対象の無線ＬＡＮアクセスポイント３とすることもできるが、平均電波強度が所定値および平均滞在時間が所定値以上の無線ＬＡＮアクセスポイント３を通知取得対象とすることもできる。
【０１８２】
また、ユーザ情報テーブルに無線端末２Ａのユーザのユーザ属性を設定するようにしてもよく、この場合、制御部４２Ａは、ユーザ属性に基づいてキーワードを設定することもできる。
【０１８３】
〔３．第３の実施形態〕
次に、第３の実施形態に係る情報提供システムの構成について説明する。第１の実施形態に係る情報提供システム１では、無線端末２が通知取得対象の情報を情報提供装置４へ送信し、情報提供装置４が通知取得対象の情報に基づいて通知用情報を送信する。一方、第３の実施形態に係る情報提供システムでは、無線端末において、通知取得対象の情報を情報提供装置へ送信せず、通知取得対象の情報に基づき、情報提供装置から取得した通知用情報を表示部２２に表示するか否かを決定する。
【０１８４】
図１９は、第３の実施形態に係る情報提供システム１Ｂの構成を示す図である。図１９に示すように、第３の実施形態に係る情報提供システム１Ｂは、無線端末２Ｂ、無線ＬＡＮアクセスポイント３および情報提供装置４Ｂなどを備える。なお、図１９においては、携帯電話通信網６、携帯電話基地局７およびゲートウェイサーバ８、９などは省略している。また、以下においては、第１の実施形態に係る情報提供システム１と異なる点を中心に説明し、第１の実施形態と同様の機能を有する構成要素については同一符号を付して説明を省略する。
【０１８５】
無線端末２Ｂは、制御部２５Ｂを有する。制御部２５Ｂは、通知取得対象の情報を情報提供装置４Ｂへ送信せず、通知取得対象の情報に基づき、情報提供装置４Ｂから取得した通知用情報を表示部に表示するか否かを決定する。
【０１８６】
具体的には、制御部２５Ｂは、情報管理部５１Ｂと、表示制御部５２Ｂとを有する。情報管理部５１Ｂは、通知取得対象を決定すると、かかる通知取得対象の情報を記憶部２４に記憶する。そして、情報提供装置４Ｂから通知用情報を受信した場合、表示制御部５２Ｂは、情報提供装置４Ｂから受信した通知用情報が通知取得対象の無線ＬＡＮアクセスポイント３の通知用情報である場合に、情報提供装置４Ｂから受信した通知用情報を表示部２２に表示する。
【０１８７】
図２０は、無線端末２Ｂにおける情報処理のフローチャートである。かかる動作は、無線端末２Ｂの制御部２５Ｂによって繰り返し実行される処理である。なお、図２０に示すステップＳ２０〜Ｓ２４、Ｓ２６、Ｓ２７は、図１２に示すステップＳ２０〜Ｓ２４、Ｓ２６、Ｓ２７と同じであり、説明を省略する。
【０１８８】
図２０に示すように、無線端末２Ｂの制御部２５Ｂは、通知用情報を取得したと判定すると（ステップＳ２６；Ｙｅｓ）、取得した通知用情報が記憶部２４に記憶した通知取得対象の無線ＬＡＮアクセスポイント３の通知用情報であるか否かを判定する（ステップＳ２８）。
【０１８９】
通知用情報には無線ＬＡＮアクセスポイント３のＡＰ―ＬＩＤが関連づけられており、制御部２５Ｂは、通知用情報に関連づけられたＡＰ―ＬＩＤが通知取得対象の無線ＬＡＮアクセスポイント３のＡＰ―ＬＩＤに含まれている場合に、通知取得対象の無線ＬＡＮアクセスポイント３の通知用情報であると判定する。
【０１９０】
通知取得対象の無線ＬＡＮアクセスポイント３の通知用情報であると判定した場合（ステップＳ２８；Ｙｅｓ）、制御部２５Ｂは、取得した通知用情報を表示部２２に表示する（ステップＳ２７）。
【０１９１】
情報提供装置４Ｂは、制御部４２Ｂを有する。かかる制御部４２Ｂは、取得部４５Ｂと、決定部４６Ｂとを有する。取得部４５Ｂは、取得部４５と同様に、端末情報を取得して場所情報ＤＢ４４の端末情報テーブルを更新する。決定部４６Ｂは、無線ＬＡＮアクセスポイント３のＡＰ通信エリアに無線端末２Ｂが進入した場合、無線端末２Ｂに対して進入した無線ＬＡＮアクセスポイント３の通知用情報を取得する。すなわち、決定部４６Ｂは、通知取得対象とは無関係に通知用情報を取得する。
【０１９２】
図２１は、情報提供装置４Ｂにおける情報処理のフローチャートであり、図１５に対応する図である。なお、図２１に示すステップＳ５０、Ｓ５１、Ｓ５４、Ｓ５５は、図１５に示すステップＳ５０、Ｓ５１、Ｓ５４、Ｓ５５と同じであり、説明を省略する。
【０１９３】
図２１に示すように、ＡＰ通信エリアに新たに通信状態になった無線端末２Ｂ（新規進入端末）があると判定すると（ステップＳ５１；Ｙｅｓ）、制御部４２Ｂは、新規進入端末の電波強度が所定閾値以上および／または滞在時間が所定閾値以上であるか否かを判定する。そして、新規進入端末の電波強度が所定閾値以上および／または滞在時間が所定閾値以上である場合に、制御部４２Ｂは、通知用情報を通知する送信媒体（通知用通信媒体）を新規進入端末が進入した無線ＬＡＮアクセスポイント３に決定する（ステップＳ５３Ｂ）。
【０１９４】
無線ＬＡＮアクセスポイント３を通知用通信媒体として決定した場合（ステップＳ５３Ｂ；Ｙｅｓ）、制御部４２Ｂは、場所情報テーブルに設定されたＬＡＮ通知用情報を無線ＬＡＮアクセスポイント３から新規進入端末へ通知させる（ステップＳ５４）。一方、無線ＬＡＮアクセスポイント３を通知用通信媒体として決定しない場合（ステップＳ５３Ｂ；Ｎｏ）、制御部４２Ｂは、場所情報テーブルに設定されたＷＡＮ通知用情報を携帯電話通信網６から新規進入端末へ通知させる（ステップＳ５５）。
【０１９５】
このように、第３の実施形態に係る情報提供システム１Ｂでは、無線端末２Ｂは通知取得対象の情報を情報提供装置４Ｂへ送信せず、通知取得対象の情報に基づき、情報提供装置４Ｂから取得した通知用情報を表示部２２に表示する。そのため、情報提供装置４Ｂでの処理を複雑にすることなく、無線端末２Ｂにおいて、情報の通知を適切に行うことができる。
【０１９６】
なお、第３の実施形態に係る情報提供システム１Ｂにおいて、第２の実施形態と同様にキーワードを設定することもできる。すなわち、無線端末２Ｂの制御部２５Ｂは、表示部２２または操作部２３によって設定されたキーワードの情報を記憶部２４に記憶し、通知取得対象の無線ＬＡＮアクセスポイント３に対応する通知用情報のうち、キーワードに対応する通知用情報を表示部２２に表示することもできる。
【０１９７】
〔４．変形例〕
上述した第１および第２の実施形態では、情報提供装置４（４Ａ）は、通知取得対象の情報を無線端末２（２Ａ）から取得したが、無線ＬＡＮアクセスポイント３から取得される端末情報に基づいて、無線端末２（２Ａ）ごとに通知取得対象を決定し、ユーザ情報テーブルに設定することもできる。
【０１９８】
具体的には、情報提供装置４（４Ａ）の制御部４２（４２Ａ）は、端末情報テーブルに基づき、端末ＩＤ毎に、ＡＰ通信エリア単位で、平均電波強度、平均滞在時間および進入回数を求め、これらの情報に基づいて、上述した処理と同様に、通知取得対象を決定する。制御部４２（４２Ａ）は、決定した通知取得対象に対応するＡＰ―ＬＩＤの情報をユーザ情報テーブルに設定する。このようにすることで、無線端末２（２Ａ）の処理負荷を軽減しつつ、通知用情報を無線端末２（２Ａ）へ通知することができる。
【０１９９】
また、上述した実施形態では、所定期間Ｔａにおいて無線端末２（２Ａ）が進入したＡＰ通信エリアの無線ＬＡＮアクセスポイント３の中から通知取得対象を決定するが、これらの無線ＬＡＮアクセスポイント３のうち、ユーザが指定されたエリア範囲に属する無線ＬＡＮアクセスポイント３の中から通知取得対象を決定するようにしてもよい。
【０２００】
この場合、情報通知アプリの設定画面にはエリア範囲を入力するための入力枠が設定されており、無線端末２（２Ａ、２Ｂ）のユーザは、かかる設定画面において、表示部２２または操作部２３への操作を行うことによりエリア範囲を入力することができる。無線端末２（２Ａ、２Ｂ）の制御部２５（２５Ａ、２５Ｂ）は、エリア範囲の情報を情報提供装置４（４Ａ、４Ｂ）へ送信する。
【０２０１】
情報提供装置４（４Ａ、４Ｂ）の制御部４２（４２Ａ、４２Ｂ）は、無線端末２（２Ａ、２Ｂ）から取得したエリア範囲の情報をユーザ情報テーブルに設定し、かかるエリア範囲に位置する無線ＬＡＮアクセスポイント３の中から通知取得対象の無線ＬＡＮアクセスポイント３を決定する。
【０２０２】
また、無線端末２（２Ａ）の制御部２５（２５Ａ）は、通知取得対象を決定しない無決定モードを有することもできる。無決定モードでは、通知取得対象の情報は情報提供装置４（４Ａ）へ通知されないため、情報提供装置４（４Ａ）の制御部４２（４２Ａ）は、制御部４２Ｂと同様に、無線ＬＡＮアクセスポイント３へ進入した無線端末２（２Ａ）の電波強度および滞在時間の条件を満たす場合に、通知用情報を無線端末２（２Ａ）へ送信する。
【０２０３】
なお、無線端末２（２Ａ）の制御部２５（２５Ａ）は、無決定モードの状態で所定期間内に通知用情報を所定回数以上表示した場合に、第１決定モードまたは第２決定モードへ移行し、所定の期間の間、第１決定モードまたは第２決定モードを継続することもできる。
【０２０４】
また、上述の実施形態では、情報提供装置４（４Ａ）が通知用情報を記憶し、無線端末２（２Ａ）へ送信するものとして説明したが、無線ＬＡＮアクセスポイント３が通知用情報を記憶し、無線端末２（２Ａ）へ送信するようにしてもよい。
【０２０５】
なお、上述の実施形態では、無線端末２（２Ａ、２Ｂ）の検出情報を送信する機能を各無線ＬＡＮアクセスポイント３において行うようにしたが、無線端末２（２Ａ、２Ｂ）の検出情報を送信する機能を別途設けた検出用の無線ＬＡＮアクセスポイント３によって実行するようにしてもよい。検出用の無線ＬＡＮアクセスポイント３を別途設けることで、すでに無線ＬＡＮアクセスポイント３を設置している場所に対して、検出用の無線ＬＡＮアクセスポイント３を設置することで、上述した情報提供サービスを提供することができる。
【０２０６】
〔５．効果〕
上述してきたように、実施形態に係る情報提供システム１（１Ａ、１Ｂ）は、無線端末２（２Ａ、２Ｂ）と、無線ＬＡＮアクセスポイント３と、情報提供装置４（４Ａ、４Ｂ）とを有する。そして、無線端末２（２Ａ、２Ｂ）は、無線ＬＡＮ通信部２０と、無線ＷＡＮ通信部２１と、表示部２２（表示出力部の一例）と、制御部２５（２５Ａ、２５Ｂ）と、を有し、制御部２５（２５Ａ、２５Ｂ）が、無線ＬＡＮ通信部２０により検出されるＡＰ無線信号の電波強度が所定条件を満たす無線ＬＡＮアクセスポイント３を検出した場合に、この無線ＬＡＮアクセスポイント３に対応する通知用情報を無線ＬＡＮ通信部２０または無線ＷＡＮ通信部２１で取得して表示部２２に表示する。
【０２０７】
かかる構成により、無線端末２（２Ａ、２Ｂ）が無線ＬＡＮアクセスポイント３のＡＰ通信エリア内に入った場合に、この無線ＬＡＮアクセスポイント３に対応する通知用情報が無線端末２（２Ａ、２Ｂ）へ通知される。そのため、例えば、無線ＬＡＮアクセスポイント３を店舗に設置した場合、店舗に入った無線端末２（２Ａ、２Ｂ）のユーザに対して店舗の情報を通知することができ、これにより、無線端末２（２Ａ、２Ｂ）のユーザに対して店舗の情報を効果的に通知することが可能となる。また、無線端末２（２Ａ、２Ｂ）のユーザにとっても、入店した店舗とは全く関係ない情報が無秩序に通知されることがなく、無線端末２（２Ａ、２Ｂ）のユーザに対して不快感を与えない。
【０２０８】
しかも、無線端末２（２Ａ、２Ｂ）は、無線ＬＡＮアクセスポイント３から受信したＡＰ無線信号の電波強度が所定条件を満たす無線ＬＡＮアクセスポイント３のＡＰ通信エリア内に進入した場合に、この無線ＬＡＮアクセスポイント３に対応する通知用情報を取得して表示する。そのため、無線端末２（２Ａ、２Ｂ）のユーザは、進入した無線ＬＡＮアクセスポイント３に対応する通知用情報が無制限に無線端末２（２Ａ、２Ｂ）に表示される事態を回避することができ、これにより、無線端末２（２Ａ、２Ｂ）のユーザへの情報の通知を適切に行うことができる。
【０２０９】
また、無線端末２（２Ａ）は、無線ＬＡＮ通信部２０により検出されるＡＰ無線信号の電波強度の履歴を記憶する記憶部２４を有する。そして、制御部２５（２５Ａ）が、記憶部２４に記憶された電波強度の履歴に基づき、所定条件を満たす無線ＬＡＮアクセスポイント３を検出する。
【０２１０】
かかる構成により、無線端末２（２Ａ）において所定条件を満たす無線ＬＡＮアクセスポイント３を判定することができ、例えば、情報提供装置４（４Ａ）での処理負荷を軽減することができる。
【０２１１】
また、制御部２５（２５Ａ）は、所定条件を満たす無線ＬＡＮアクセスポイント３の情報を無線ＬＡＮ通信部２０または無線ＷＡＮ通信部２１経由で情報提供装置４（４Ａ）へ通知し、情報提供装置４（４Ａ）から所定条件を満たす無線ＬＡＮアクセスポイント３に対応する通知用情報を無線ＬＡＮ通信部２０または無線ＷＡＮ通信部２１経由で取得する。
【０２１２】
かかる構成により、情報提供装置４（４Ａ）において、無線端末２（２Ａ）のユーザが無線ＬＡＮアクセスポイント３のＡＰ通信エリア内に進入した場合に、通知用情報を通知するか否かを容易に把握することができ、通知用情報を適切に通知することができる。
【０２１３】
また、制御部２５Ｂは、情報提供装置４Ｂから無線ＬＡＮ通信部２０または無線ＷＡＮ通信部２１経由で取得した無線ＬＡＮアクセスポイント３に対応する通知用情報のうち、所定条件を満たす無線ＬＡＮアクセスポイント３に対応する通知用情報を表示部２２に表示する。
【０２１４】
かかる構成により、無線端末２Ｂが情報提供装置４Ｂから取得した通知用情報を表示するか否かを決定することから、例えば、情報提供装置４Ｂでの処理負荷を軽減することができる。
【０２１５】
また、上記所定条件は、無線ＬＡＮ通信部２０により検出されるＡＰ無線信号の電波強度に基づいて決定される順位の上位所定数以内であることを条件とし、制御部２５（２５Ａ、２５Ｂ）が、無線ＬＡＮ通信部２０により検出されるＡＰ無線信号の電波強度に基づいて決定される順位の上位所定数以内となる無線ＬＡＮアクセスポイント３に対応する通知用情報を無線ＬＡＮ通信部２０または無線ＷＡＮ通信部２１経由で取得して表示部２２に表示する。
【０２１６】
かかる構成により、例えば、無線ＬＡＮアクセスポイント３のうち無線端末２（２Ａ、２Ｂ）のユーザがＡＰ通信エリアの中心により近い場所を通過または滞在する無線ＬＡＮアクセスポイント３に対応する通知用情報が通知されることから、通知用情報を適切に通知することができる。
【０２１７】
また、制御部２５（２５Ａ、２５Ｂ）が、上述した上位所定数のうち最上位所定数以内となる無線ＬＡＮアクセスポイント３に対応する通知用情報を無線ＬＡＮ通信部２０経由で取得して表示部２２に表示する。
【０２１８】
かかる構成により、無線端末２（２Ａ、２Ｂ）との間の通信状態がより良い無線ＬＡＮアクセスポイント３から通知用情報を取得することで、通知用情報を相対的に情報量が多い情報とした場合であっても無線端末２（２Ａ、２Ｂ）で高速に通知用情報を取得できる。
【０２１９】
また、制御部２５（２５Ａ、２５Ｂ）が、上位所定数のうち最上位所定数以外となる無線ＬＡＮアクセスポイント３に対応する通知用情報を無線ＷＡＮ通信部２１経由で取得して表示部２２に表示する。
【０２２０】
かかる構成により、無線端末２（２Ａ、２Ｂ）との間の通信状態がそれほど良くない無線ＬＡＮアクセスポイント３である場合であっても、無線ＷＡＮ通信部２１経由で通知用情報を取得でき、例えば、相対的に情報量が少ない情報を通知用情報とすることにより無線端末２（２Ａ、２Ｂ）で高速に通知用情報を取得でき、適切なタイミングで通知用情報を無線端末２（２Ａ、２Ｂ）へ通知できる。
【０２２１】
また、情報提供装置４（４Ａ）は、場所情報ＤＢ４４（通知用情報記憶部の一例）が、複数の無線ＬＡＮアクセスポイント３のそれぞれに対応する通知用情報を記憶し、制御部４２（４２Ａ）が、無線端末２（２Ａ）の無線ＬＡＮ通信部２０により検出される無線信号の電波強度が所定条件を満たす無線ＬＡＮアクセスポイント３を通知取得対象の無線ＬＡＮアクセスポイント３の情報として無線端末２、２Ａから取得し、場所情報ＤＢ４４に記憶された通知用情報のうち、通知取得対象の無線ＬＡＮアクセスポイント３に対応する通知用情報を、無線ＬＡＮアクセスポイント３経由または携帯電話基地局７経由で無線端末２（２Ａ）に対して送信する。
【０２２２】
かかる構成により、無線端末２（２Ａ）のユーザに対して店舗の情報を効果的に通知することが可能となる。また、無線端末２（２Ａ）のユーザにとっても、入店した店舗とは全く関係ない情報が無秩序に通知されることがなく、ユーザに対して不快感を与えない。さらに、情報提供装置４（４Ａ）において、無線端末２（２Ａ）のユーザが無線ＬＡＮアクセスポイント３のＡＰ通信エリア内に進入した場合に、通知用情報を通知するか否かを容易に把握することができ、通知用情報を適切に通知することができる。
【０２２３】
また、無線端末２Ａの制御部２５Ａは、表示部２２または操作部２３（入力部の一例）によって設定されたキーワードの情報を情報提供装置４Ａへ送信し、情報提供装置４Ａの制御部４２Ａは、無線端末２Ａからキーワードの情報を取得し、通知取得対象の無線ＬＡＮアクセスポイント３に対応する通知用情報のうち、キーワードに対応する通知用情報を無線端末２Ａへ送信する。
【０２２４】
かかる構成により、無線端末２Ａのユーザによって設定されたキーワードで通知用情報の受信が制限されることから、ユーザに対して無制限に情報が通知されず、無線端末２Ａのユーザに不快感を与えることなく、情報の通知を適切に行うことができる。
【０２２５】
〔６．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０２２６】
また、上述した情報提供装置４（４Ａ、４Ｂ）は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。また、上述した情報提供装置４（４Ａ、４Ｂ）の機能の一部を無線ＬＡＮアクセスポイント３で実現するようにしてもよい。
【符号の説明】
【０２２７】
１、１Ａ、１Ｂ  情報提供システム
２1〜２n、２、２Ａ、２Ｂ  無線端末
３1〜３n、３  無線ＬＡＮアクセスポイント
４、４Ａ、４Ｂ  情報提供装置
５  通信ネットワーク
６  携帯電話通信網
７1〜７n、７  携帯電話基地局
８、９  ゲートウェイサーバ
２０  無線ＬＡＮ通信部
２１  無線ＷＡＮ通信部
２２  表示部
２３  操作部
２４  記憶部
２５、２５Ａ、２５Ｂ  制御部
３０  無線ＬＡＮ通信部
３１  通信部
３２  制御部
３５  中継部
３６  検出部
４０  通信部
４１  記憶部
４２、４２Ａ、４２Ｂ  制御部
４３  ユーザ情報ＤＢ
４４  場所情報ＤＢ
４５、４５Ａ、４５Ｂ  取得部
４６、４６Ａ、４６Ｂ  決定部
４７  送信部
４８  情報提供部
５１、５１Ａ、５１Ｂ  情報管理部
５２、５２Ａ、５２Ｂ  表示制御部
【図１Ａ】
2014146854.tif 000003
【図１Ｂ】
2014146854.tif 000004
【図２】
2014146854.tif 000005
【図３】
2014146854.tif 000006
【図４】
2014146854.tif 000007
【図５】
2014146854.tif 000008
【図６】
2014146854.tif 000009
【図７】
2014146854.tif 000010
【図８Ａ】
2014146854.tif 000011
【図８Ｂ】
2014146854.tif 000012
【図９】
2014146854.tif 000013
【図１０】
2014146854.tif 000014
【図１１】
2014146854.tif 000015
【図１２】
2014146854.tif 000016
【図１３】
2014146854.tif 000017
【図１４】
2014146854.tif 000018
【図１５】
2014146854.tif 000019
【図１６】
2014146854.tif 000020
【図１７】
2014146854.tif 000021
【図１８】
2014146854.tif 000022
【図１９】
2014146854.tif 000023
【図２０】
2014146854.tif 000024
【図２１】
2014146854.tif 000025